(57)【要約】      （修正有）【課題】光ディスクの記録状態に応じて、適切なイコライザ調整を実施することが可能な光ディスク装置を提供する。【解決手段】光ディスク装置は、光ディスクの記録面に光ビームを照射させて反射光を受光する光ピックアップと、光ピックアップが受光した反射光に基づいて再生信号を生成する信号生成部２１と、再生信号のイコライザ調整を行うイコライザ調整部３１ｃと、調整制御部３１ｄとを備える。調整制御部３１ｄは、光ディスクの記録面のうち予め定められた管理情報を記録する管理情報領域からの反射光に基づく再生信号に応じて、再生信号のイコライザ調整を行うようにイコライザ調整部３１ｃを制御する。【選択図】図２
2014160523.tif 000002
【特許請求の範囲】
【請求項１】
光ディスクの記録面に光ビームを照射させて反射光を受光する光ピックアップと、
前記受光した反射光に基づいて再生信号を生成する信号生成部と、
前記再生信号のイコライザ調整を行うイコライザ調整部と、
前記光ディスクの記録面のうち予め定められた管理情報を記録する管理情報領域からの反射光に基づく前記再生信号に応じて、前記イコライザ調整を行うように前記イコライザ調整部を制御する調整制御部とを備える、光ディスク装置。
【請求項２】
前記調整制御部は、
前記管理情報領域の記録品質に基づいて、前記管理情報領域からの反射光に基づく前記再生信号を用いた前記イコライザ調整の実施が適切であるか否かを判定し、適切であると判定した場合に、
前記管理情報領域からの反射光に基づく前記再生信号を用いた前記イコライザ調整を行うよう前記イコライザ調整部を制御する、請求項１に記載の光ディスク装置。
【請求項３】
前記調整制御部は、
前記管理情報領域の記録品質に基づいて、前記管理情報領域からの反射光に基づく前記再生信号を用いた前記イコライザ調整の実施が適切でないと判定した場合に、
予め定められた初期値を用いた前記イコライザ調整を行うよう前記イコライザ調整部を制御する、又は、前記光ディスクの記録面のうちピットが予め形成された領域からの反射光に基づく前記再生信号を用いた前記イコライザ調整を行うよう前記イコライザ調整部を制御する、請求項２に記載の光ディスク装置。
【請求項４】
前記調整制御部は、
前記光ディスクの記録時において、前記管理情報領域に前記管理情報が記録されていない場合に、
前記管理情報の記録を行い、記録後の前記管理情報領域からの反射光に基づく前記再生信号に応じて、前記イコライザ調整を行うように前記イコライザ調整部を制御する、請求項１〜３のいずれか一項に記載の光ディスク装置。
【請求項５】
前記調整制御部は、前記光ディスクに形成されるリードイン領域に含まれる予め定められた領域を、前記管理情報領域として用いる、請求項１〜４のいずれか一項に記載の光ディスク装置。
【請求項６】
前記調整制御部は、
前記光ディスクのスピンアップ時または前記光ディスクの記録時において、
前記光ディスクの記録面のうち予め定められた管理情報を記録する管理情報領域からの反射光に基づく前記再生信号に応じて、前記イコライザ調整を行うように前記イコライザ調整部を制御する、請求項１〜５のいずれか一項に記載の光ディスク装置。
【請求項７】
光ディスクの記録面に光ビームを照射させて反射光を受光するステップと、
前記受光した反射光に基づいて再生信号を生成するステップと、
前記光ディスクの記録面のうち予め定められた管理情報を記録する管理情報領域からの反射光に基づく前記再生信号に応じて、前記再生信号のイコライザ調整を行うステップとを備える、イコライザ調整方法。
【発明の詳細な説明】
【技術分野】
【０００１】
本発明は、光ディスクの再生又は記録を行う光ディスク装置、及び光ディスク装置におけるイコライザ調整方法に関するものである。
【背景技術】
【０００２】
近年、ＣＤ（Compact Disc）やＤＶＤ（Digital Versatile Disc）といった光ディスクが普及し、一般的に用いられるようになっている。また、光ディスクに記録された情報、例えば音声情報や画像情報を読み出して記録／再生するための装置として、光ディスク装置が実用化されている。広く知られている光ディスク装置としては、例えばＣＤプレーヤ、ＤＶＤプレーヤ、或いはパソコンに接続されるＣＤ−ＲＯＭドライブ等があげられる。
【０００３】
光ディスク装置においては、光ディスク上の情報を電気的に読み出した再生信号であるＲＦ信号の信号波形の劣化を補償するため、イコライザ調整が行われている。イコライザ調整は、ＲＦ信号に対するカットオフ周波数とブースト量との双方の調整を組み合わせることによって行われる。
【０００４】
従来の光ディスク装置は、トラックオン後のアドレスが未記録状態である場合、ピットが予め形成されたエンボス領域等でジッタベストとなるよう、イコライザ調整を実施していた。なお、エンボス領域の一例としては、例えばＤＶＤ−Ｒで用いられるＣＤＺ（Control Data Zone）がこれに相当する。
【０００５】
しかしながら、エンボス領域は通常、光ディスク装置が記録を行うことができる記録可能領域（以下、「データ領域」という）とは、ピット形成方式や物理特性が異なる。従って、エンボス領域とデータ領域とでイコライザ特性も異なる。このため、エンボス領域でのイコライザ調整結果をデータ領域に用いたのでは、データ領域でのジッタが悪化し、リード品質が悪くなるという問題があった。
【０００６】
上記に関連して特許文献１には、光ディスク上の複数の領域においてイコライザ調整を実施し、調整結果を領域毎に保存しておくことで、各領域の最適値を設定する光ディスク装置が開示されている。
【先行技術文献】
【特許文献】
【０００７】
【特許文献１】特開２００４−１７１６１６号公報
【発明の概要】
【発明が解決しようとする課題】
【０００８】
しかしながら、上記のように複数の領域でイコライザ調整を行って各調整値を記録していたのでは、調整時間が大幅に増加するという問題がある。また、各調整値を記録する記録媒体や、記録した各調整値を管理するシステムが必要である。
【０００９】
本発明の目的は、光ディスクの記録状態に応じて、適切なイコライザ調整を実施することが可能な光ディスク装置、及びイコライザ調整方法を提供することにある。
【課題を解決するための手段】
【００１０】
上記目的を達成するために本発明の光ディスク装置は、光ディスクの記録面に光ビームを照射させて反射光を受光する光ピックアップと、前記受光した反射光に基づいて再生信号を生成する信号生成部と、前記再生信号のイコライザ調整を行うイコライザ調整部と、前記光ディスクの記録面のうち予め定められた管理情報を記録する管理情報領域からの反射光に基づく前記再生信号に応じて、前記イコライザ調整を行うように前記イコライザ調整部を制御する構成（第１の構成）としている。
【００１１】
この構成によると、管理情報領域からの反射光に基づく再生信号に応じて、再生信号のイコライザ調整が行われるので、光ディスクの記録状態に応じて、適切なイコライザ調整を実施することが可能になる。
【００１２】
上記第１の構成の光ディスク装置において、前記調整制御部が、前記管理情報領域の記録品質に基づいて、前記管理情報領域からの反射光に基づく前記再生信号を用いた前記イコライザ調整の実施が適切であるか否かを判定し、適切であると判定した場合に、前記管理情報領域からの反射光に基づく前記再生信号を用いた前記イコライザ調整を行うよう前記イコライザ調整部を制御する構成（第２の構成）にすることが望ましい。
【００１３】
この構成によると、管理情報領域の記録品質が悪いことに起因して不適切なイコライザ調整値が設定されることを回避できる。
【００１４】
上記第２の構成の光ディスク装置において、前記調整制御部が、前記管理情報領域の記録品質に基づいて、前記管理情報領域からの反射光に基づく前記再生信号を用いた前記イコライザ調整の実施が適切でないと判定した場合に、予め定められた初期値を用いた前記イコライザ調整を行うよう前記イコライザ調整部を制御する、又は、前記光ディスクの記録面のうちピットが予め形成された領域からの反射光に基づく前記再生信号を用いた前記イコライザ調整を行うよう前記イコライザ調整部を制御する構成（第３の構成）にすることが望ましい。
【００１５】
この構成によると、管理情報領域の記録品質が悪い場合に、代替となるイコライザ調整値を設定することができる。
【００１６】
上記第１〜第３のいずれかの構成の光ディスク装置において、前記調整制御部が、前記光ディスクの記録時において、前記管理情報領域に前記管理情報が記録されていない場合に、前記管理情報の記録を行い、記録後の前記管理情報領域からの反射光に基づく前記再生信号に応じて、前記イコライザ調整を行うように前記イコライザ調整部を制御する構成（第４の構成）にすることが望ましい。
【００１７】
この構成によると、記録開始時において管理情報が未記録であっても、記録可能領域に適したイコライザ調整値を設定することができる。
【００１８】
上記第１〜第４のいずれかの構成の光ディスク装置において、前記調整制御部が、前記光ディスクに形成されるリードイン領域に含まれる予め定められた領域を、前記管理情報領域として用いる構成（第５の構成）にすることが望ましい。
【００１９】
この構成によると、管理情報領域の特定が容易になる。
【００２０】
上記第１〜第５のいずれかの構成の光ディスク装置において、前記調整制御部が、前記光ディスクのスピンアップ時または前記光ディスクの記録時において、前記光ディスクの記録面のうち予め定められた管理情報を記録する管理情報領域からの反射光に基づく前記再生信号に応じて、前記イコライザ調整を行うように前記イコライザ調整部を制御する構成（第６の構成）にすることが望ましい。
【００２１】
この構成によると、スピンアップ時または記録開始時に、記録可能領域に適したイコライザ調整値を設定することができる。
【００２２】
また上記目的を達成するために本発明のイコライザ調整方法は、光ディスクの記録面に光ビームを照射させて反射光を受光するステップと、前記受光した反射光に基づいて再生信号を生成するステップと、前記光ディスクの記録面のうち予め定められた管理情報を記録する管理情報領域からの反射光に基づく前記再生信号に応じて、前記再生信号のイコライザ調整を行うステップとを備える。
【００２３】
この方法によると、管理情報領域からの反射光に基づく再生信号に応じて、再生信号のイコライザ調整が行われるので、光ディスクの記録状態に応じて、適切なイコライザ調整を実施することが可能になる。
【発明の効果】
【００２４】
本発明によれば、光ディスクの記録状態に応じて、適切なイコライザ調整を実施することが可能である。
【図面の簡単な説明】
【００２５】
【図１】本発明の一実施形態に係る光ディスク装置の構成を示すブロック図である。
【図２】本発明の一実施形態に係る光ディスク装置の機能構成を示すブロック図である。
【図３】スピンアップ時のイコライザ調整値の設定処理を示すフロー図である。
【図４】データ記録時のイコライザ調整値の設定処理を示すフロー図である。
【図５】従来のスピンアップ時のイコライザ調整値の設定処理を示すフロー図である。
【図６】エンボス領域におけるイコライザ特性を示した模式図である。
【図７】データ領域におけるイコライザ特性を示した模式図である。
【発明を実施するための形態】
【００２６】
以下に本発明の実施形態を、図面を参照しながら説明する。なお、ここで示す実施形態は一例であり、本発明はここに示す実施形態に限定されるものではない。
〈１．内部構成について〉
【００２７】
図１は、本発明の一実施形態に係るＤＶＤレコーダ１００（＝光ディスク装置）を示す構成図である。ＤＶＤレコーダ１００は、光ピックアップ１、信号生成回路２１、ＤＳＰ（Digital Signal Processor）３１、再生処理回路３２、出力回路３３、ドライバ４１、送りモータ５１、及びスピンドルモータ５２を備えている。
【００２８】
光ピックアップ１は、光ディスク２に光ビームを照射して、光ディスク２に対する音声情報、画像情報等の読み取り／書き込みを行う。この光ピックアップ１には、ＣＤ用光ビーム、ＤＶＤ用光ビーム、ＢＤ（Blu-ray Disc、登録商標） 用光ビームが設けられている。
【００２９】
光ピックアップ１内部には例えば、光源、ダイクロプリズム、コリメートレンズ、対物レンズ、光検出器、アクチュエータ等が含まれている。光ピックアップ１は、光源より出力される光ビームを対物レンズ等を用いて光ディスク２の記録面に照射し、その反射光を光検出器で光電変換することにより、電気信号を出力する。またアクチュエータにより対物レンズを移動させることにより、トラッキング動作、チルト動作、フォーカス動作等を行う。
【００３０】
信号生成回路２１は、光ピックアップ１が含む光検出器により得られた電気信号をもとに演算処理を行い、ＲＦ信号（＝再生信号）、フォーカスエラー信号（以下、「ＦＥ信号」という）、トラッキングエラー信号（以下、「ＴＥ信号」という）等の各種信号を生成する。そして生成した各種信号を、ＤＳＰ３１へ出力する。
【００３１】
ＤＳＰ３１は、図２に示すように、複数の機能部を有する。各機能部は、例えばＤＳＰ３１に含まれる演算処理装置上で所定のプログラムを実行することにより実現される。
【００３２】
デコーダ部３１ａは、信号生成回路２１より入力したＲＦ信号をもとに画像処理または音声処理を行うことにより画像信号または画像信号を生成し、後述する再生処理回路３２へ与える。
【００３３】
サーボ部３１ｂは、信号生成回路２１より入力したＦＥ信号やＴＥ信号に基づいてサーボ信号を生成する。例えばトラッキングサーボを行うためのトラッキングサーボ信号や、フォーカスサーボを行うためのフォーカスサーボ信号を生成する。生成されたサーボ信号はドライバ４１へ与えられる。これにより例えば、光ピックアップ１が含む対物レンズのトラッキング制御やフォーカス制御等が実施される。
【００３４】
イコライザ調整部３１ｃは、信号生成回路２１より入力したＲＦ信号のイコライザ調整を行う。ＲＦ信号には種々の周波数成分が含まれており、高い周波数ほどレベルが低い。ただし低レベルのままであると、ＲＦ信号のジッタが大きくなる。また、必要な周波数成分以外もジッタの悪化につながる。そこでイコライザ調整部３１ｃは、レベルの低い周波数成分をブーストし、ある周波数以上の成分をカットして、ジッタが小さくなるようにＲＦ信号の周波数特性を調整する。
【００３５】
調整制御部３１ｄは、光ピックアップ１がトラックオンしたアドレスが未記録状態である場合に、データ領域に設けられた所定の管理情報領域の記録品質をチェックする。そして信用できる記録品質であると判定した場合に、この管理情報領域からの反射光に基づくＲＦ信号を用いてイコライザ調整を行うよう、イコライザ調整部３１ｃを制御する。
【００３６】
なお本実施形態では、上記の判定に用いる管理情報領域として、ＲＭＤ（Recording Management Area、管理情報）が記録される領域であるＲＭＡ（Recording Management Area）を用いる。ただし、判定に用いられる管理情報領域はＲＭＡに限定されるものではなく、データ領域内において管理情報を記録する領域であれば、光ディスクの種別等に応じて適宜変更が可能である。
【００３７】
再生処理回路３２は、画像信号または音声信号を不図示のモニタ等へ出力するためのＤ／Ａ変換処理を行う。変換処理により得られた信号は、出力回路３３により外部装置へ出力される。
【００３８】
ドライバ４１は、ＤＳＰ３１から与えられる制御信号（例えばサーボ信号）に基づいて、光ピックアップ１、送りモータ５１、及びスピンドルモータ５２の駆動を制御する。送りモータ５１は、光ピックアップ１を光ディスク２の径方向に駆動する。スピンドルモータ５２は、光ディスク２を回転方向に駆動する。
〈２．イコライザ調整値の設定処理について〉
【００３９】
次に、本発明の光ディスク装置が実施するイコライザ調整値の設定処理について説明する。ここではまず、従来のイコライザ調整値の設定処理の概略を、図５のフロー図を用いながら説明する。従来のイコライザ調整値の設定処理は、まずステップＳ３１０においてフォーカスオン及びトラックオンを行った後、ステップＳ３２０においてＣＤＺ、及びＲＭＡを対象とした読み出しを行う。
【００４０】
ＣＤＺは、光ディスク２の最内周領域にあるエンボス領域であり、光ディスク２の製造時に形成される。ＣＤＺには、ＭａｎｕｆａｃｔｕｒｅＩＤ等が記録されている。これを読み取ることにより、メーカー名やディスクの種類、推奨記録ストラテジ等を取得することが可能である。
【００４１】
ＲＭＡは、ＲＭＤが記録される領域であり、リードイン領域の内部に設けられる。ＲＭＤは、データの記録状態を管理するためのセッション情報や、光ディスクに対して記録を行った装置に特有の情報、例えば記録ストラテジ等を含む情報である。
【００４２】
次にステップＳ３３０においてイコライザ調整値の設定が未実施か否かを判定する。実施済みである場合は処理を終了する。未実施である場合はステップＳ３４０においてＣＤＺへ移動する。そしてステップＳ３５０においてＣＤＺでのイコライザ調整値の設定を行った後、本処理を終了する。
【００４３】
上記の従来のイコライザ調整値の設定処理では、ＣＤＺのみでイコライザ調整値の設定を行っている。そして、その設定したイコライザ調整値をデータ領域からの反射光に基づくＲＦ信号のイコライザ調整にも用いている。しかしながら、両領域のイコライザ特性は必ずしも同一ではない。この点について、図６及び図７を用いて説明する。
【００４４】
図６は、ＣＤＺにおけるイコライザ特性の一例を示した座標平面図である。また図７は、データ領域におけるイコライザ特性の一例を示した座標平面図である。図６及び図７は共に、横軸がカットオフ周波数を示し、縦軸がブースト量を示し、等高線がジッタ量を示している。
【００４５】
図６及び図７において斜線で示している領域は、最もジッタ量の少ない座標領域を示している。また図６及び図７の円αは、ＣＤＺでジッタが最小となる座標を示している。また図７の円βは、データ領域でジッタが最小となる座標を示している。それぞれの円で示したように、ＣＤＺとデータ領域とでは、ジッタが最小となるカットオフ周波数はほぼ同じであるが、ジッタが最小となるブースト量が異なる。このため、ＣＤＺでのイコライザ調整結果をデータ領域に適用したのでは、データ領域でのジッタが悪化し、リード品質が悪くなるという課題が存在した。
【００４６】
そこで上記課題を解決するために本発明のイコライザ調整方法は、管理情報領域からの反射光に基づくＲＦ信号に応じて、ＲＦ信号のイコライザ調整が行われるようにする。より具体的には、ＤＶＤ−Ｒの未記録メディアは規格上、データ領域の記録前に、ＲＭＡが必ず生成される。本実施形態では、このＲＭＡからの反射光に基づくＲＦ信号に応じて、ＲＦ信号のイコライザ調整が行われるようにすることにより、リード品質を確保する。
【００４７】
上記の処理の詳細を、図３のフロー図を用いて説明する。図３は、ＤＶＤ−（マイナス）系、例えばＤＶＤ−Ｒのスピンアップ時における、イコライザ調整値の設定処理の処理フローを示している。
【００４８】
まずサーボ部３１ｂはステップＳ１１０において、ドライバ４１を介して光ピックアップ１のフォーカス制御及びトラッキング制御を行うことにより、光ディスク２に対するフォーカスオン及びトラックオンを行う。
【００４９】
次に調整制御部３１ｄはステップＳ１２０において、ドライバ４１を介して光ピックアップ１を制御することにより、光ディスク２のＣＤＺ及びＲＭＡにおけるリードを実施する。
【００５０】
次に調整制御部３１ｄはステップＳ１３０において、イコライザ調整値の設定が未実施であるか否かを判定する。未実施ではない場合、つまり既に設定済みである場合、本処理を終了する。一方、未実施である場合、調整制御部３１ｄはステップＳ１４０において、ＲＭＡの記録品質に基づいて、ＲＭＡからの反射光に基づくＲＦ信号を用いたイコライザ調整の実施が適切であるか否かを判定する。
【００５１】
なお、具体的な判定方法の一例としては、下記（ａ）の条件を満たすときに、ＲＭＡの記録品質が信用できると判定し、ＲＭＡからの反射光に基づくＲＦ信号を用いたイコライザ調整の実施が適切であると判定する方法があげられる。また、下記（ａ）の条件を下記（ｂ）の条件、下記（ｃ）の条件、下記（ｄ）の条件、下記（ｅ）の条件のいずれかに置換してもよい。
（ａ）ＥＤＣ（Error Detecting Code）が立たない。
（ｂ）ＲＦ信号の振幅が一定値以上である。
（ｃ）Ｍｏｄｕｌａｔｉｏｎが一定値以上である。
（ｄ）Ｂｅｔａが一定範囲以内である。
（ｅ）ＲＦ信号のアシンメトリが一定範囲以内である。
【００５２】
（ａ）は、誤り検出訂正の一種であり、誤り検出符号を用いてデータの誤りを検出する。ＥＤＣは、データと誤り検出符号との関係が所定の規則通りでなかった場合に立ち、訂正不能なエラーが存在することを示す。一方、ＥＤＣが立たない場合、リードできる状態であることを示す。
【００５３】
（ｂ）〜（ｅ）はそれぞれ、ＲＦ信号の波形に基づいた判定方法である。なお（ｃ）のＭｏｄｕｌａｔｉｏｎとは、ＲＦ信号の最大振幅とピーク値との比である。また（ｄ）のＢｅｔａとは、ＲＦ信号の中点のズレと最大振幅との比である。また（ｅ）のアシンメトリとは、ＲＦ信号の上下の非対称を示すものである。
【００５４】
ステップＳ１４０において、ＲＭＡからの反射光に基づくＲＦ信号を用いたイコライザ調整の実施が適切でないと判定された場合、調整制御部３１ｄは、ステップＳ１７０において、予め光ディスクの種別に応じて用意してあるイコライザ調整初期値を設定し、本処理を終了する。
【００５５】
一方、ステップＳ１４０において、ＲＭＡからの反射光に基づくＲＦ信号を用いたイコライザ調整の実施が適切であると判定された場合、調整制御部３１ｄは、ステップＳ１５０において、ＲＭＤをリード可能なアドレスの中心位置へ移動するよう、光ピックアップ１を制御する。
【００５６】
次に調整制御部３１ｄはステップＳ１６０において、上記で移動した位置でイコライザ調整値の設定を実施するよう、イコライザ調整部３１ｃに指示する。イコライザ調整部３１ｃによるイコライザ調整値の設定が完了すると、本処理を終了する。
【００５７】
なお、上記のステップＳ１４０においてＲＭＡからの反射光に基づくＲＦ信号を用いたイコライザ調整の実施が適切であると判定された場合、もしくはステップＳ１６０においてイコライザ調整値の設定に失敗した場合、ＣＤＺへ移動し、ＣＤＺでイコライザ調整値の設定を実施するよう、調整制御部３１ｄが制御を行う形態でもよい。
【００５８】
次に、ＤＶＤ−（マイナス）系の書き込み開始時におけるイコライザ調整値の設定処理の処理フローを、図４を用いて説明する。
【００５９】
まず調整制御部３１ｄはステップＳ２１０において、光ディスク２のＲＭＡに空き領域があるか否かを判定する。ＲＭＡに空き領域が無い場合、本処理を終了する。一方、ＲＭＡに空き領域がある場合、調整制御部３１ｄはステップＳ２２０において、ＲＭＡの空き領域にＲＭＤを書き込むよう、光ピックアップ１を制御する。
【００６０】
次に調整制御部３１ｄはステップＳ２３０において、上記でＲＭＤが書き込まれた領域の記録品質に基づいて、上記でＲＭＤが書き込まれた領域からの反射光に基づくＲＦ信号を用いたイコライザ調整の実施が適切であるか否かを判定する。なお、具体的な判定方法としては、先述した（ａ）〜（ｅ）の条件を用いた用いた方法等を用いる。
【００６１】
上記でＲＭＤが書き込まれた領域からの反射光に基づくＲＦ信号を用いたイコライザ調整の実施が適切でないと判定された場合、再びステップＳ２１０へ移行する。一方、上記でＲＭＤが書き込まれた領域からの反射光に基づくＲＦ信号を用いたイコライザ調整の実施が適切であると判定された場合、調整制御部３１ｄはステップＳ２４０において、イコライザ調整値の設定が未実施であるか否かを判定する。
【００６２】
未実施ではない場合、つまり既に設定済みである場合、本処理を終了する。一方、未実施である場合、調整制御部３１ｄはステップＳ２５０において、上記で書き込まれたＲＭＤをリード可能なアドレスの中心位置へ移動するよう、光ピックアップ１を制御する。
【００６３】
次にイコライザ調整部３１ａはステップＳ２６０において、上記で移動した位置でイコライザ調整値の設定を実施するよう、イコライザ調整部３１ｃに指示する。イコライザ調整部３１ｃによるイコライザ調整値の設定が完了すると、本処理を終了する。
【００６４】
以上に説明した本実施形態によれば、トラックオン後のアドレスが未記録状態であった場合でも、ＲＭＡ及びＲＭＤを利用して適切なイコライザ調整値の設定を行うことができる。このため、再生性能の向上を図ることができる。また、事前にエンボス領域とデータ領域との両方でイコライザ調整値の設定を行い、個々の調整値を記録しておく必要もない。
【００６５】
なお、以上で説明した実施形態は、光ディスク２としてＤＶＤ−Ｒメディアを用いているが、これ以外の種別のメディアを用いて本発明を実施する形態でもよい。ただし、メディアの種別によって管理情報及び管理情報領域の構成が異なるため、各ステップにおいて対象とする管理情報及び管理情報領域を適宜変更する。
【００６６】
例えばＤＶＤ＋Ｒの未記録メディアであれば、データ領域への記録前に規格上、必ずＤＣＢ（Disk Control Block）が記録される領域であるＩＤＩＺ（Inner Disc Identification Zone）が生成される。なおＤＣＢもＲＭＤと同様、セッション情報等が記録されている。このためＤＶＤ＋Ｒで本発明のイコライザ調整処理を実施する場合は、ＲＭＡに代わりＩＤＩＺを、ＲＭＤに代わりＤＣＢを用いて処理を行う。これにより、上記と同様の作用、効果を得ることができる。
［その他の実施の形態］
【００６７】
以上、好ましい実施の形態及び実施例をあげて本発明を説明したが、本発明は必ずしも上記実施の形態及び実施例に限定されるものではなく、その技術的思想の範囲内において様々に変形して実施することができる。
【００６８】
従って本発明は、以下の形態にも適用可能である。
【００６９】
（Ａ）上記実施形態では、本発明のイコライザ調整方法に関わる各機能部がＤＳＰ３１により実現されているが、これらの機能部の一部または全部が、これ以外の装置により実現される形態でもよい。例えば、複数の回路により実現される形態でもよい。或いは、不図示のシステムコントローラ等の演算処理装置上で所定のプログラムを実行することにより実現さる形態でもよい。
【００７０】
（Ｂ）上記実施形態では、本発明のイコライザ調整方法を適応する光ディスク装置としてＤＶＤレコーダ１００を例示したが、これ以外の光ディスク装置において本発明のイコライザ調整方法を適応する形態でもよい。例えば、ＣＤプレーヤ、ＤＶＤプレーヤ、パソコン用の光ディスクドライブ等に適応する形態でもよい。
【符号の説明】
【００７１】
１００    ＤＶＤレコーダ（光ディスク装置）
１        光ピックアップ
２        光ディスク
２１      信号生成回路
３１      ＤＳＰ
３１ａ    デコーダ部
３１ｂ    サーボ部
３１ｃ    イコライザ調整部
３１ｄ    調整制御部
３２      再生処理回路
３３      出力回路
４１      ドライバ
５１      送りモータ
５２      スピンドルモータ
【図１】
2014160523.tif 000003
【図２】
2014160523.tif 000004
【図３】
2014160523.tif 000005
【図４】
2014160523.tif 000006
【図５】
2014160523.tif 000007
【図６】
2014160523.tif 000008
【図７】
2014160523.tif 000009